(57)【要約】【課題】短い単位長さで形成して配線長さに対応して長尺状に構成することにより簡易に運搬や持ち運びすることができ、作業性を向上する。短い長さで配線する際には、切除される長さを必要最小限にして部材の歩留まりを向上する。相対する側板間の上部開口幅を広くした状態に保持し、内部に電線類を収容する作業を効率的に行う。【解決手段】底板（３）に対して各側板（９・１１）を起立した際に開口保持部材（５・７、２１・２３）により側板上部の開口を幅広になるように保持する。側板（９・１１）間に電線類を内部に収容した後に、側板（９・１１）を起立させた状態で屈曲するカバー（３７）の垂下片（３９）を他方の側板（９／１１）に錠止して各側板間の開口を閉鎖可能にして内部に電線類（４７）を収容すると共に隣設する被連結部（２５・２７）に連結部（３３・３５）を係合して連結可能にする。【選択図】図２
2013153576.tif 000002
【特許請求の範囲】
【請求項１】
長手方向が所要の単位長さで、長手直交方向が収容される電線類の本数に応じた所要の幅の底板と、
該底板の長手直交方向両端に沿って起立可能にそれぞれ一体に設けられ、長手直交方向が収容される電線類の本数に応じた所要の幅からなると共に複数の通線孔が長手方向へ適宜の間隔をおいて設けられる第１及び第２側板と、
上記底板及び各側板の境界箇所にて長手方向へ適宜の間隔をおいて設けられ、底板に対して各側板を起立した際に、底板に対する垂直線に対して各側板を外側へ傾動した起立状態に保持する開口保持部と、
一方の側板における長手直交方向端に沿って屈曲可能に一体に設けられ、長手直交方向が底板と一致する幅からなると共に先端部に起立した他方の側板外面に錠止する垂下片が設けられたカバーと、
上記第１及び第２側板における長手方向の一方端部にそれぞれ一体に設けられる被連結部と、
上記第１及び第２側板における長手方向の他方端部にて上記被連結部に応じた幅で長手方向へそれぞれ突出する連結板に設けられ、対応する被連結部にそれぞれ係合する連結部と、
を有した平板状に形成され、
底板に対して各側板を起立した際に開口保持部材により側板上部の開口を幅広になるように保持した状態で電線類を内部に収容可能にした後に底板に対して側板を垂直に起立させた状態で屈曲するカバーの垂下片を他方の側板に錠止して各側板間の開口を閉鎖して内部に電線類を収容すると共に隣設する被連結部に連結部を係合して連結可能にとした配線ダクトユニット。
【請求項２】
請求項１において、開口保持部は、底板及び各側板の境界箇所にそれぞれ設けられる係合部及び被係合部からなり、底板に対して各側板を起立した際に互いに係合して底板に対して各側板が外側へ傾動した起立状態に保持可能とした配線ダクトユニット。
【請求項３】
請求項２において、係合は、底板に対して垂直に突出する軸体からなると共に被係合部は、上記軸体の幅より要求される側板上部の開口幅に応じて長く形成されると共に先端部に軸体に係止する爪部が形成され、底板に対して各側板を軸体に対して起立して軸体に爪部を係止した際に、各側板を上記長さ分、外側への傾動起立状態を保持して側板上部の開口幅を拡大可能にした配線ダクトユニット。
【請求項４】
請求項１において、カバーの垂下片には、複数の錠止部を長手方向へ適宜の間隔をおいて一体に設けると共に該垂下片が錠止する側板には、各錠止部が錠止される被錠止部を設け、カバーにより側板上部の開口へ閉鎖した際に、錠止部を被錠止部に錠止して上記開口を閉鎖可能にした配線ダクトユニット。
【請求項５】
請求項１において、被連結部は、第１及び第２側板の長手直交方向へ延出する凹部とすると共に連結部は、第１及び第２側板の長手直交方向へ延出して対応する凹部に係合する突部とした配線ダクトユニット。
【請求項６】
請求項１において、被連結部は、第１及び第２側板の長手直交方向に対して適宜の間隔をおいて設けられた複数個の連結孔とすると共に連結部は、各連結孔に相対して突出する連結軸とした配線ダクトユニット。
【請求項７】
長手方向が所要の単位長さで、長手直交方向が収容される電線類の本数に応じた所要の幅の底板の長手直交方向両端に沿って起立し、長手直交方向が収容される電線類の本数に応じた所要の幅からなると共に長手方向に対して適宜の間隔をおいて複数の通線孔が設けられる第１及び第２側板と、底板に対して各側板が起立した際に各側板の外側への傾動状態を保持して上部開口を拡大可能にする開口保持部材と、一方の側板の長手直交方向端に沿って屈曲し、先端部に起立した側板上部に錠止する垂下片が設けられたカバーとを備えると共に上記第１及び第２側板の長手方向一方端部にそれぞれ一体に設けられる被連結部及び上記第１及び第２側板の長手方向他方端部の連結板に設けられ、上記被連結部に係合する連結部を有した配線ダクトユニット相互を、収容される電線類の配線長さに応じた個数分、被連結部に対して連結部を係合して連結してなる配線ダクト。
【請求項８】
請求項７において、複数の配線ダクトユニット相互を直線状に連結した配線ダクト。
【請求項９】
請求項７において、隣接する配線ダクトユニット相互を所望の角度を設けて連結した配線ダクト。
【発明の詳細な説明】
【技術分野】
【０００１】
本発明は、盤内配線または屋内配線された電源用電線、信号用電線等の被覆電線や各種コード、ワイヤー（以下、これらを総称して電線類とする。）を収容して所望の状態に配線して保護するのに使用する単位長さにモジュール化された配線ダクトユニット及び配線ダクト、詳しくは所要の単位長さにモジュール化された配線ダクトユニット及び配線される電線類の長さに応じた個数の配線ダクトユニット相互を連結して構成される配線ダクトに関する。
【背景技術】
【０００２】
従来の配線ダクトは、プラスチック等の適宜材料で成形され側面に複数の切欠き（通線孔）を有する長尺状のダクト本体の上面に対してカバーを着脱可能に備え、電線類をダクト本体内に挿入して配線し、必要に応じて収容された電線類を切欠きから引き出して分岐配線できるように構成されている。
【０００３】
しかし、上記した従来の配線ダクトは、常時、立体的（管状）で嵩張り易く、大量の配線ダクトを運搬したり、保管したりする場合には、広いスペースを必要として集積効率が悪い問題を有している。
【０００４】
上記した問題点を解決するため、例えば特許文献１に示す配線ダクトが提案されている。該配線ダクトは、所望長さの底面と、該底面の長手方向両端に折曲自在に連設された一対の側面と、一方の側面に折り曲げ自在に連設されて他方の側面に着脱自在に係止されるカバーとが互い隣接した板状で、互いに隣接する面を折り曲げて起立させた際に、係合突起相互を係合して折り曲げ状態を保つ保形手段を備えたことを特徴とする。
【０００５】
上記配線ダクトにあっては、長手方向長さを、例えば建築の基準になる９０ｃｍ（３尺）又は１ｍのように長尺状に形成し、現場において配線長さに応じて切断して所要の長さに調整する必要がある。このため、体積的には減少させることができるが、長さ的には長尺状であることが避けられず、運搬したり、持ち運びしたりするのに不便であった。
【０００６】
また、例えば配線長さが６０ｃｍの場合には、９０ｃｍの配線ダクトにあっては３０ｃｍ、１ｍの配線ダクトにあっては４０ｃｍ、切断廃棄しなければならず、部材の歩留まりが悪い問題をも有している。なお、切除された配線ダクトは、電線類を長く配線する際に正規の配線ダクトに継ぎ足して使用することもできるが、相互を強固に連結することができず、連結箇所に段差ができて空隙ができたりして外観不良を招いたりする問題が生じている。
【０００７】
更に、特許文献１に示す配線ダクトにあっては、底板に対して相対する側板を垂直に起立させて方形筒形状に組み立てた後に、側板上部の開口を介して電線類を収容するように使用している。このため、相対する側板上部の開口幅が狭くなるため、内部に電線類を収容する作業に手間が掛かり、配線作業効率が悪くなる問題を有している。
【先行技術文献】
【特許文献】
【０００８】
【特許文献１】特開２００１−３７０３９号公報
【発明の概要】
【発明が解決しようとする課題】
【０００９】
解決しようとする問題点は、体積的には減少できるが、長尺状に形成しなければならず、運搬や持ち運びに不便で、作業性が悪い点にある。短い長さで配線する際には、配線長さに応じて端部を切除しなければならず、部材の歩留まりが悪くなる点にある。更に、起立して相対する側板間の上部開口が狭いため、内部に電線類を収容する作業に手間が掛かり、配線作業効率が悪い点にある。
【課題を解決するための手段】
【００１０】
本発明の請求項１は、長手方向が所要の単位長さで、長手直交方向が収容される電線類の本数に応じた所要の幅の底板と、該底板の長手直交方向両端に沿って起立可能にそれぞれ一体に設けられ、長手直交方向が収容される電線類の本数に応じた所要の幅からなると共に複数の通線孔が長手方向へ適宜の間隔をおいて設けられる第１及び第２側板と、上記底板及び各側板の境界箇所にて長手方向へ適宜の間隔をおいて設けられ、底板に対して各側板を起立した際に、底板に対する垂直線に対して各側板を外側へ傾動した起立状態に保持する開口保持部と、一方の側板における長手直交方向端に沿って屈曲可能に一体に設けられ、長手直交方向が底板と一致する幅からなると共に先端部に起立した他方の側板外面に錠止する垂下片が設けられたカバーと、上記第１及び第２側板における長手方向の一方端部にそれぞれ一体に設けられる被連結部と、上記第１及び第２側板における長手方向の他方端部にて上記被連結部に応じた幅で長手方向へそれぞれ突出する連結板に設けられ、対応する被連結部にそれぞれ係合する連結部とを有した平板状に形成され、底板に対して各側板を起立した際に開口保持部材により側板上部の開口を幅広になるように保持した状態で電線類を内部に収容可能にした後に底板に対して側板を垂直に起立させた状態で屈曲するカバーの垂下片を他方の側板に錠止して各側板間の開口を閉鎖して内部に電線類を収容すると共に隣設する被連結部に連結部を係合して連結可能にとしたことを最も主要な特徴とする。
【００１１】
また、請求項７は、長手方向が所要の単位長さで、長手直交方向が収容される電線類の本数に応じた所要の幅の底板の長手直交方向両端に沿って起立し、長手直交方向が収容される電線類の本数に応じた所要の幅からなると共に長手方向に対して適宜の間隔をおいて複数の通線孔が設けられる第１及び第２側板と、底板に対して各側板が起立した際に各側板の外側への傾動状態を保持して上部開口を拡大可能にする開口保持部材と、一方の側板の長手直交方向端に沿って屈曲し、先端部に起立した側板上部に錠止する垂下片が設けられたカバーとを備えると共に上記第１及び第２側板の長手方向一方端部にそれぞれ一体に設けられる被連結部及び上記第１及び第２側板の長手方向他方端部の連結板に設けられ、上記被連結部に係合する連結部を有した配線ダクトユニット相互を、収容される電線類の配線長さに応じた個数分、被連結部に対して連結部を係合して連結したことを最も主要な特徴とする。
【発明の効果】
【００１２】
本発明は、短い単位長さで形成して配線長さに対応して長尺状に構成することにより簡易に運搬や持ち運びすることができ、作業性を向上することができる。また、短い長さで配線する際には、切除される長さを必要最小限にして部材の歩留まりを向上することができる。更に、相対する側板間の上部開口幅を広くした状態に保持し、内部に電線類を収容する作業を効率的に行うことができる。
【図面の簡単な説明】
【００１３】
【図１】配線ダクトユニットの全体斜視図である。
【図２】配線ダクトユニットの展開状態を示す一部破断斜視図である。
【図３】係合部及び被係合部を拡大して示す部分斜視図である。
【図４】被連結部を拡大して示す部分斜視図である。
【図５】連結部を拡大して示す部分斜視図である。
【図６】錠止部を拡大して示す部分斜視図である。
【図７】配線ダクトユニットの仮組み立て状態を示す縦断面図である。
【図８】配線ダクトユニット相互の連結状態を示す説明図である。
【図９】配線ダクトユニットを連結して構成した配線ダクトを示す斜視図である。
【図１０】電線類を収容してカバーを閉止した状態を示す縦断面図である。
【図１１】配線ダクトユニット相互を直角状に連結する例を示す部分斜視図である。
【発明を実施するための形態】
【００１４】
底板に対して各側板を起立した際に開口保持部材により側板上部の開口を幅広になるように保持した状態で電線類を内部に収容した後に、側板を起立させた状態で屈曲するカバーの垂下片を他方の側板に錠止して各側板間の開口を閉鎖可能にして内部に電線類を収容すると共に隣設する被連結部に連結部を係合して連結可能にとしたことを最適の実施形態とする。
【実施例１】
【００１５】
以下、実施例を示す図に従って本発明を説明する。
図１乃至図６に示すように、配線ダクト１は、長手方向が所要の長さでモジュール化された配線ダクトユニット２を、配線される電線類４７の長さに応じた個数、長手方向へ長尺状になるように連結して構成される。各配線ダクトユニット２は、耐ヒンジ特性に優れたスチレン系合成樹脂、ポリアミド系合成樹脂、ポリプロピレン系合成樹脂等の合成樹脂により平板状に成形され、該配線ダクトユニット２の底板３は、長手方向が所要の単位長さ、例えば３００ｍｍで、長手直交方向が収容される電線類４７の本数に応じた幅に成形される。
【００１６】
そして該底板３における長手直交方向の両端側上面には、一対の係合部５が長手方向へ等しい間隔をおいて立設される。本例にあっては、底板３の長手直交方向両端側上面に開口保持部の一方を構成する複数の係合部５・７が一体に成形される。
【００１７】
なお、底板３には、複数個のねじ穴３ａが長手方向に対して所要の間隔をおいて形成され、各ねじ穴３ａに挿通される固定ねじ（図示せず）を固定面にねじ止めして単位配線ダクト１を固定させる。
【００１８】
上記底板３の長手直交方向両端には、正面側に第１側板９及び背面側の第２側板１１がそれぞれ一体に成形される。第１及び第２側板９・１１は、長手方向が底板３と一致する長さで、長手直交方向が収容される電線類の本数に応じた高さに形成される。また、上記底板３の長手直交方向両端と各第１及び第２側板９・１１の境界内面は、長手方向へ延出する屈曲部としてのＶ字溝１３・１５により肉薄のヒンジに形成され、各第１及び第２側板９・１１は、底板３に対し、それぞれのＶ字溝１３・１５箇所にて起立するように折り曲げ可能に構成される。
【００１９】
各第１及び第２側板９・１１には、長手方向が複数本の電線類４７が通過可能な適宜の幅からなる多数の通線孔１７・１９が長手方向に対して適宜の間隔をおいて形成される。また、各第１及び第２側板９・１１における底板３側の内面には、開口保持部の他方を構成する被係合部２１・２３がそれぞれの係合部５・７に一致してそれぞれ形成される。
【００２０】
各被係合部２１・２３は、対応する係合部５・７の幅より長い幅で内側へ突出して形成され、先端部に係合部５・７に係止する爪部２１ａ・２３ａが形成される。各被係合部２１・２３の突出長さは、底板３に対して各側板９・１１を起立させてそれぞれの爪部２１ａ・２３ａを係合部５・７に係止した際に、底板３に対する垂直線に対し、各側板９・１１上部が、例えば１５度〜３０度の範囲で外側へ開いて開口幅が幅広になるように設定される。
【００２１】
各第１及び第２側板９・１１の長手方向一方端部には、長手直交方向へ延出するアリ溝状の被連結部２５・２７がそれぞれ一体に形成される。また、各第１及び第２側板９・１１の長手方向他方端部には、隣接する単位配線ダクト１における第１及び第２側板９・１１の被連結部２５・２７に至る幅で突出し、各側板９・１１の高さ（長手直交方向幅）に一致する長さの連結板２９・３１がそれぞれ一体に形成され、各連結板２９・３１の外面には、長手直交方向へ延出して対応する被連結部２５・２７に挿嵌する突条の連結部３３・３５がそれぞれ一体に形成される。
【００２２】
一方の側板９の長手直交方向端部には、後述するカバー３７の垂下片３９に一体に形成された複数の錠止部４１がそれぞれ挿嵌される被錠止部４３が長手方向に対して等しい間隔をおいて形成される。
【００２３】
他方の側板１１における長手直交方向端部には、長手直交方向が底板３に一致するカバー３７が一体に形成される。該カバー３７と側板１１の長手直交方向端との境界内面は、長手方向へ延出する屈曲部としてのＶ字溝４５により肉薄のヒンジに形成され、該Ｖ字溝４５箇所にてカバー３７を内側へ折り曲げ可能にさせる。
【００２４】
上記カバー３７における長手直交方向端部には、第１側板９上部の外側面に沿って垂下する垂下片３９が長手方向へ延出して一体にするように形成され、該垂下片３９における側板９への相対面には、錠止部４１がそれぞれの被錠止部４３に一致して一体に形成される。
【００２５】
上記のように構成される配線ダクトユニット２は、以下のように四角筒形状に組み立てられる。すなわち、底板３の長手直交方向両端にて第１及び第２側板９・１１をそれぞれ起立させながらそれぞれの係合部５・７に対して相対する被係合部２１・２３の爪部２１ａ・２３ａを係止させる。
【００２６】
このとき、図７に示すように各被係合部２１・２３は、係合部５・７の幅より要求される側板９・１１上部の開口幅に応じて長く形成されているため、底板３に対する垂直線に対して各側板９・１１を上記した長い幅分、外側へ開いて開口幅が広い状態の起立状態に保持させる。
【００２７】
そして電線類４７の配線長さに応じた個数、例えば配線長さが１８０ｃｍの場合には、上記のように仮組立された６個の配線ダクトユニット２相互を連結して配線ダクト１を構成するには、図８及び図９に示すように隣接する一方の配線ダクトユニット２における長手方向一方端部の被連結部２５・２７に対し、他方の配線ダクトユニット２における長手方向他方端部の連結部３３・３５を上方から挿嵌して係合することにより配線ダクトユニット２相互を連結し、所要の配線長さの配線ダクト１を形成する。なお、図９は、３個の配線ダクトユニット２を直線状に連結して配線ダクト１を構成した例を示すが、配線ダクトユニット２の連結個数は、これに限定されるものではない。
【００２８】
このとき、連結部３３・３５が設けられたそれぞれの連結板２９・３１は、底板３の長手方向他方端から長手方向へ突出しているため、隣接する配線ダクトユニット２相互を連結した際には、各底板３相互の連結箇所をほぼ面一状にさせる。このように複数個の配線ダクトユニット２相互を強固に連結し、連結箇所に空隙ができて不連続になるのを回避して配線ダクト１を構成することができる。
【００２９】
上記のように相互が連結された配線ダクト１を、配線ダクトユニット２における底板３のねじ穴３ａ内に挿通された固定ねじを壁面や床面等の固定面（図示せず）へねじ止めした後に、配線ダクト２を構成する配線ダクトユニット２における第及び第２側板９・１１間の空間内に電線類４７を長手方向へ延出するように収容すると共に電線類４７取出し箇所に応じた配線ダクトユニット２の通線孔１７・１９から必要な電線類４７を引き出して配線する。
【００３０】
そして上記のように配線ダクト１内に電線類４７を収容したり、必要箇所から電線類４７を引き出したりした後、図１０に示すように内部に電線類４７が収容された側板９・１１相互を底板３に対して垂直状態になるように起立させた後、カバー３７を起立した他方の第２側板１１側へ折り曲げて垂下片３９を第１側板９の上部外面に係合するように嵌め込みながら錠止部４１を被錠止部４３へ錠止して側板９・１１における上部開口を閉鎖し、電線類４７が外部へ飛び出すのを規制して配線作業を終了する。
【００３１】
なお、配線長さが配線ダクトユニット２の倍数以下または以上の場合には、配線ダクト４９の長手方向端部側に連結される配線ダクトユニット２を、以上の場合には増加分、以下の場合には減少分の長さで切断し、配線ダクト４９の長手方向長さを配線長さに調整する必要がある。この場合にあっては、例えば底板３、第１及び第２側板９・１１及びカバー３７の少なくともいずれかにスケール（目盛）を一体成形したりまたは印刷したりすることにより切断作業を簡易化することができる。
【００３２】
また、配線ダクトユニット２の長手方向に対して長手直交方向へ延出する複数のＶ字溝等で、肉薄の切離溝（図示せず）を一定間隔毎に形成し、配線ダクトユニット２を切断する際には、切断個所に応じた切離溝箇所にて配線ダクトユニット２を切断可能に形成すればよい。
【００３３】
本実施例は、底板３に対して各側板９・１１を起立した際には、係合部５・７に対して被係合部２１・２３を係合した際には、底板３に対する垂直線に対して各側板９・１１の上部開口が幅広になるように保持することができ、内部に電線を収容する際には、広い開口部を介して電線類４７を内部に収容させることができ、配線作業を効率的に行うことができる。
【００３４】
また、長手方向が所要の長さでモジュール化された配線ダクトユニット２を配線長さに応じた個数分、連結することにより配線ダクト４９を形成することができる。このため、配線ダクト４９を構成する部材の長手方向長さを短くして持ち運び時や運搬時の作業効率を向上することができる。また、配線ダクトユニット２相互を強固に連結して連結箇所に空隙ができて不連続になるのを防止することができる。
【００３５】
上記説明において、隣接する配線ダクトユニット２相互を連結する被連結部をアリ溝状の被連結部２５・２７、各被連結部２５・２７に係合する連結部を突条の連結部３３・３５として構成したが、連結部を複数個の先割ピンとすると共に被連結部を複数の被連結孔として構成し、各先割ピンを対応する被連結孔に弾性変形させながら挿嵌して配線ダクトユニット２相互を連結する構成としてもよい。
【００３６】
上記説明は、複数の配線ダクトユニット２を直線状に連結して配線ダクト1を構成する例により説明したが、例えば隣接する配線ダクトユニット２相互を直角に連結するには、配線ダクトユニット２相互間に直角連結管を設けて連結する構成、または図１１に示すように一方の配線ダクトユニット２における連結側端部の第２側板１１を第１側板９に対して底板３の幅分長く形成すると共に各側板９・１１の連結側端部内側に被連結部としての被連結部２５・２７を段差状にそれぞれ一体に形成する。
【００３７】
また、他方の配線ダクトユニット２における連結側端部の第２側板１１を第１側板９に対して底板３の幅分長く形成すると共に各側板９・１１の連結側端部外側に連結板２９・３１を各側板９・１１に対して直交する方向へ段差状に突出するようにそれぞれ一体に形成し、各連結板２９・３１の内面に連結部としての連結部３３・３５をそれぞれ一体に形成する。そして隣接する配線ダクトユニット２の連結側を直交させた状態で被連結部２５・２７に連結部３３・３５を係合して直角状に連結させる。
【００３８】
なお、図１１は、隣接する配線ダクトユニット２相互を直角に連結する例を示すが、連結角度としては、直角に限定されるものではなく、鋭角及び鈍角の任意角度であってもよい。その場合には、各配線ダクトユニット２における連結側端部の第２側板１１を、第１側板９に対して連結角度分、長く形成すると共に各連結板２９・３１の突出角度を連結角度に応じた角度に形成する。
【００３９】
また、配線ダクトユニット２を電線類４７に通電される電流の種類（交流または直流）に応じて色分けして形成することにより配線ダクト１の電気種類を容易に識別することができるように構成してもよい。
【符号の説明】
【００４０】
１  配線ダクト
２  配線ダクトユニット
３  底板
３ａ  ねじ穴
５・７  開口保持部の一方を構成する係合部
９・１１  第１及び第２側板
１３・１５  Ｖ字溝
１７・１９  通線孔
２１・２３  開口保持部の他方を構成する被係合部
２１ａ・２３ａ  爪部
２５・２７  被連結部
２９・３１  連結板
３３・３５  連結部
３７  カバー
３９  垂下片
４１  錠止部
４３  被錠止部
４５  Ｖ字溝
【図１】
2013153576.tif 000003
【図２】
2013153576.tif 000004
【図３】
2013153576.tif 000005
【図４】
2013153576.tif 000006
【図５】
2013153576.tif 000007
【図６】
2013153576.tif 000008
【図７】
2013153576.tif 000009
【図８】
2013153576.tif 000010
【図９】
2013153576.tif 000011
【図１０】
2013153576.tif 000012
【図１１】
2013153576.tif 000013